(57)【要約】      （修正有）【課題】「差分情報」を用いて「高画質映像」を生成する電子機器において、映像コンテンツを「高画質映像」で視聴できない場合は、ユーザに直感的に提示し、利便性を向上させる。【解決手段】電子機器は、高画質映像を生成するための差分情報を含む放送信号を受信する放送信号受信部を備える。また、前記受信した放送信号から前記差分情報を取得し、記憶する記憶部を備える。また、所定映像コンテンツの差分情報取得が完了したかを検出する検出部を備える。また、前記所定映像コンテンツの高画質映像出力が可能である旨を示す表示を出力する出力部を備え、ユーザへ表示の可否を提示する。【選択図】図６
2014127979.tif 000002
【特許請求の範囲】
【請求項１】
高画質映像を生成するための差分情報を含む放送信号を受信する放送信号受信部と、
前記受信した放送信号から前記差分情報を取得し、記憶する記憶部と、
所定映像コンテンツの差分情報取得が完了したかを検出する検出部と、
前記所定映像コンテンツの高画質映像出力が可能である旨を示す表示を出力する出力部と、を備える電子機器。
【請求項２】
前記差分情報取得が完了しない場合は、前記所定映像コンテンツの高画質映像出力が可能ではない旨を示す表示を出力する請求項１に記載の電子機器。
【請求項３】
前記所定映像コンテンツの高画質映像出力可否表示の指示があった場合に、前記高画質映像出力が可能であること、または、前記所定映像コンテンツの高画質映像出力が可能ではない旨を示す表示を出力する請求項１または請求項２のいずれかに記載の電子機器。
【請求項４】
前記高画質映像出力が可能であること、または、前記所定映像コンテンツの高画質映像出力が可能ではない旨を示す表示を番組表と関連付けて出力する請求項１乃至請求項３のいずれかに記載の電子機器。
【請求項５】
前記高画質映像出力が可能であること、または、前記所定映像コンテンツの高画質映像出力が可能ではない旨を示す表示を録画リストと関連付けて出力する請求項１乃至請求項３のいずれかに記載の電子機器。
【請求項６】
前記高画質映像出力が可能であること、または、前記所定映像コンテンツの高画質映像出力が可能ではない旨を示す表示を番組コンテンツと関連付けて出力する請求項１乃至請求項３のいずれかに記載の電子機器。
【請求項７】
高画質映像を生成するための差分情報を含む放送信号を受信するステップと、
前記受信した放送信号から前記差分情報を取得し、記憶するステップと、
所定映像コンテンツの差分情報取得が完了したかを検出するステップと、
前記所定映像コンテンツの高画質映像出力が可能である旨を示す表示を出力するステップと、を備え、電子機器を制御する電子機器の制御方法。
【請求項８】
高画質映像を生成するための差分情報を含む放送信号を受信するステップと、
前記受信した放送信号から前記差分情報を取得し、記憶するステップと、
所定映像コンテンツの差分情報取得が完了したかを検出するステップと、
前記所定映像コンテンツの高画質映像出力が可能である旨を示す表示を出力するステップと、を備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、「２ｋ１ｋ」と呼ばれる高解像度の映像コンテンツ（第１解像度の映像、または、ＨＤ映像）を表示することが可能な、高解像度映像コンテンツを表示可能なディスプレイを備えた電子機器が普及している。
【０００３】
ここで、「２ｋ１ｋ」とは、いわゆるフルＨＤ相当のサイズを示す表現である。
【０００４】
「２ｋ１ｋ」の「Ｋ」はキロを指す。また、フルＨＤの解像度は水平画素数１９２０×垂直画素数１０８０で、概算で２０００×１０００、すなわち「２ｋ１ｋ」という表現になっている。
【０００５】
また、解像度は、例えば、映像を表現するための縦と横の点（ドット）の数として表現される。
【０００６】
また、近年、例えば、「４ｋ２ｋ」と呼ばれる、「２ｋ１ｋ」よりもさらに高解像度の映像コンテンツ（第２解像度の映像）を表示可能なディスプレイを備えた電子機器が製品化されつつある。
【０００７】
ここで、「４ｋ２ｋ」とは、４０００×２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００８】
このように、「４ｋ２ｋ」は、新しい動画規格として注目されている。
【０００９】
しかし、「４ｋ２ｋ」においては、情報を収納する媒体規格や配信方法が定まっておらず、コンテンツもあまり供給されていないため、一般的にはあまり馴染みがないのが現状である。
【００１０】
このため、例えば、「第１の映像コンテンツ」（第１解像度の映像（例えば、「２ｋ１ｋ」）と、映像差分データ（第１の映像コンテンツより解像度が高い第２の映像コンテンツ（第２解像度の映像（例えば、「４ｋ２ｋ」）と第１の映像コンテンツとの差分情報（「差分情報」））を用い、「第２の映像コンテンツ」（第２解像度の映像（例えば、「４ｋ２ｋ」）を表示する方式が提案されている（差分伝送方式）。
【００１１】
ここでは、例えば、「ＨＤ映像」のような「第１の映像コンテンツ」と、「第１の映像コンテンツ」との「差分情報」を用いて生成された、より高解像度（より高画質）な「４ｋ２ｋ映像」のような「第２の映像コンテンツ」を、「高画質映像コンテンツ」と呼ぶ。
【００１２】
また、例えば、「差分伝送方式」の一つの方式として、「第１の映像コンテンツ」（例えば、ＨＤ映像）の映像信号を放送で伝送するのと同様に、「差分情報」も放送で伝送する方式が検討されている。
【００１３】
そして、例えば、「差分情報」は、放送（ＢＳ、ＣＳ、地上波デジタル等）の空き時間を用いて伝送される（差分情報の放送伝送）。
【００１４】
これらの差分情報の放送伝送は、「第１の映像コンテンツ」の放送伝送よりも事前に、伝送されていることが望ましい。
【００１５】
しかし、例えば、ユーザが所定の番組（映像コンテンツ）の視聴を「高画質映像」で所望する際に、様々な要因で、「差分情報」が受信できずに、視聴できなくなることも想定される。
【００１６】
この場合、ユーザは、所定の映像コンテンツを「高画質映像」で視聴することができないことを知らずに、視聴してしまうことがあり、ユーザの混乱を招き、また、ユーザには不便であることが問題になっていた。
【００１７】
このため、「差分情報」を用いて「高画質映像」を生成する電子機器において、所定の映像コンテンツを「高画質映像」で視聴することができない場合は、ユーザに直感的に提示し、利便性を向上させることが課題になっていた。
【先行技術文献】
【特許文献】
【００１８】
【特許文献１】特開２０００−１９７０４５号公報
【発明の概要】
【発明が解決しようとする課題】
【００１９】
「差分情報」を用いて「高画質映像」を生成する電子機器において、所定の映像コンテンツを「高画質映像」で視聴することができない場合は、ユーザに直感的に提示し、利便性を向上させることが課題になっていた。
【課題を解決するための手段】
【００２０】
実施形態の電子機器は、高画質映像を生成するための差分情報を含む放送信号を受信する放送信号受信部を備える。
【００２１】
また、前記受信した放送信号から前記差分情報を取得し、記憶する記憶部を備える。
【００２２】
また、所定映像コンテンツの差分情報取得が完了したかを検出する検出部を備える。
【００２３】
また、前記所定映像コンテンツの高画質映像出力が可能である旨を示す表示を出力する出力部を備える。
【図面の簡単な説明】
【００２４】
【図１】実施形態に係る電子機器の外観を示す外観図。
【図２】実施形態に係る電子機器が受信する「差分情報」を放送で伝送する放送局側の構成の一例を示すブロック図。
【図３】実施形態に係る電子機器の構成を示す図。
【図４】実施形態に係る電子機器の要部の構成を示す図。
【図５】実施形態に係る電子機器のＧＵＩ表示に係る動作を説明するフローチャート。
【図６】実施形態に係る電子機器から出力される「高画質映像出力可否表示」を表示可能な番組表を示す図。
【図７】実施形態に係る電子機器から出力される「高画質映像出力可否表示」を表示可能な録画リストを示す図。
【図８】実施形態に係る電子機器から出力される「高画質映像出力可否表示」を表示可能な、視聴中の番組コンテンツ番組情報を示す図。
【図９】実施形態に係る電子機器の動作を説明するフローチャート。
【発明を実施するための形態】
【００２５】
以下、図面を参照し、実施の形態を説明する。
【００２６】
図１は、実施形態に係る電子機器の外観を示す外観図である。
【００２７】
ここでは、電子機器１の一例として、テレビ等の映像表示装置を用いて説明を行うが、電子機器１はテレビに限定されることはなく、録画装置やパーソナルコンピュータ（ＰＣ）、スマートフォン等にも適用可能である。
【００２８】
電子機器１は、例えば、ユーザによってリモコン（リモートコントローラ）２１が操作される。このリモコン２１から出力されたリモコン信号が電子機器１の操作受信部２０で受信される。
【００２９】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００３０】
また、この電子機器１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００３１】
また、この実施形態においては、後述するように、放送局から、「高画質映像」を生成するための「差分情報」が放送によって伝送され、電子機器１で受信される、差分伝送方式が用いられる。
【００３２】
差分伝送方式は、例えば、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）を用い、「高画質映像」である第２の映像（第２解像度の映像、例えば、「４ｋ２ｋ」映像）を表示出力する方式である。
【００３３】
そして、この実施形態の電子機器は、第１の映像（例えば、「２ｋ１ｋ」映像）と、第１の映像より解像度が高い第２の映像（例えば、「４ｋ２ｋ」映像）と第１の映像との差分映像データを用いて第２の映像を出力する。
【００３４】
図２は、実施形態に係る電子機器が受信する「差分情報」を放送で伝送する放送局側の構成の一例を示すブロック図である。
【００３５】
放送局２５側は、電子機器１側で、高画質映像（第２の映像（例えば、４ｋ２ｋ映像等））を生成するための、第１の映像（第１解像度の映像（例えば、ＨＤ（２ｋ１ｋ））映像等）を、放送によって送信（伝送）する。
【００３６】
また、放送局２５側は、第１の映像と組合せ、高画質映像（第２の映像（例えば、４ｋ２ｋ映像等））を生成するための、「差分情報」を含む放送信号を、放送によって送信（伝送）する。
【００３７】
ここでは、例えば、図２に示すように、高画質映像（第２の映像（４ｋ２ｋ映像等））のソースデータ３０が、分離部３１で、「差分情報（データ）」と主映像データ（第１の映像（第１解像度の映像（ＨＤ（２ｋ１ｋ））映像等））に分離され、それぞれ、差分情報（データ）処理／送信部３２、主映像データ処理／送信部３３に送信される。
【００３８】
差分情報（データ）処理／送信部３２では、例えば、ＢＳ放送で、「差分情報」を含む放送信号を、放送によって送信（伝送）する。
【００３９】
また、主映像データ処理／送信部３３では、例えば、ＢＳ放送で、主映像データ（第１の映像（第１解像度の映像（ＨＤ（２ｋ１ｋ））映像等））を含む放送信号を、放送によって送信（伝送）する。
【００４０】
なお、この実施形態において、上記放送は、ＢＳ放送に限られることはなく、ＣＳ放送や地上波デジタル放送等の放送に適用することも可能である。
【００４１】
また、「差分情報」を含む放送信号の送信（伝送）と、主映像データ（第１の映像）を含む放送信号の送信（伝送）が異なる放送で行なわれても良い。
【００４２】
例えば、「差分情報」を含む放送信号の送信（伝送）をＢＳ放送で行い、主映像データ（第１の映像）を含む放送信号の送信（伝送）を地上波デジタル放送で行なったり、あるいは、「差分情報」を含む放送信号の送信（伝送）を地上波デジタル放送で行い、主映像データ（第１の映像）を含む放送信号の送信（伝送）をＣＳ放送で行なったりと、適宜変更することが可能である。
【００４３】
図３は、実施形態に係る電子機器の構成を示す図である。
【００４４】
この実施形態において、電子機器１は、例えば、放送局２５等の送信側から送信（伝送）された高画質映像（第２の映像（例えば、４ｋ２ｋ映像等））を生成するための、第１の映像（第１解像度の映像（例えば、ＨＤ（２ｋ１ｋ））映像等）、および、第１の映像と組合せ、高画質映像（第２の映像（例えば、４ｋ２ｋ映像等））を生成するための、「差分情報」を含む放送信号を受信する。
【００４５】
すなわち、この実施形態において、電子機器１は、高画質映像を生成するための差分情報を含む放送信号を受信する放送信号受信部（チューナ３、信号処理部４等）を備えている。
【００４６】
また、前記受信した放送信号から前記差分情報を取得し、一時的に記憶する記憶部（ＲＡＭ（ＤＤＲ）１３等）を備えている。
【００４７】
また、所定映像コンテンツの差分情報取得が完了したかを検出する検出部（制御部１１等）を備えている。
【００４８】
また、前記所定映像コンテンツの高画質映像出力が可能である旨を示す表示を出力する出力部（表示装置７等）を備えている。
【００４９】
図４は、実施形態に係る電子機器の要部の構成を示す図である。
【００５０】
図４に示すように、電子機器１は、例えば、ＢＳ放送によって伝送された「差分情報」を含む放送信号を受信する、ＢＳ伝送差分情報受信部４１を備えている。
【００５１】
このＢＳ伝送差分情報受信部４１で受信された「差分情報」を含む放送信号は、デジタル復調部４２に送信され、復調されて、システム制御部４５へ送信される。
【００５２】
また、電子機器１は、例えば、ＢＳ放送によって伝送された第１の映像コンテンツ（ＨＤ（２ｋ１ｋ））映像）を含む放送信号を受信する、ＨＤ放送受信部４４を備えている。
【００５３】
このＨＤ放送受信部４４で受信された第１の映像コンテンツ（ＨＤ（２ｋ１ｋ））映像）を含む放送信号は、デジタル復調部４３に送信され、復調されて、システム制御部４５へ送信される。
【００５４】
すなわち、ＨＤ放送受信部４４において、ＨＤ放送波で伝送されるＨＤ映像コンテンツを受信し、デジタル復調部４３において、ＨＤ映像データの復調が行われ、パネル７への出力処理、もしくは、大容量記憶装置４７に保存される。
【００５５】
パネル７への出力処理は、例えば、高画質映像生成のための差分（４ｋ２ｋ差分）情報取得が完了している場合は、システム制御部４５の指示に従い、例えば、システムメモリ部（ＤＤＲ等）４９を介し、映像処理部５０において、ＨＤ映像（第１の映像）データと、高画質映像生成のための差分（４ｋ２ｋ差分）情報を用い、高画質映像（４ｋ２ｋ映像）を生成し、パネル出力部５１を介して、パネル７へ表示が行われる。
【００５６】
また、高画質映像生成のための差分（４ｋ２ｋ差分）情報取得が完了していない場合は、所定のシステムに応じてパネル７への表示が行われる。
【００５７】
また、ＧＵＩ処理部４８は、後述する番組表（図６）や録画リスト（図７）、番組コンテンツ視聴中の番組情報（図８）、あるいは、その他メニューや音量等のＧＵＩデータの生成を行う。
【００５８】
このＧＵＩデータは、例えば、システム制御部４５からの指示で、ＧＵＩ表示有効フレームになると、システムメモリ部４９を介し、パネル出力部５１において、映像データとＧＵＩ表示の合成が行われ、パネル７へ出力表示される。
【００５９】
これらの処理は、例えば、操作部５２においてユーザの操作入力を受け、システム制御部４５へ操作情報が伝えられることにより、動作する。
【００６０】
また、上記ＢＳ伝送差分情報受信部４１、デジタル復調部４２、デジタル復調部４３、システム制御部４５は、例えば、図３で説明した信号処理部４に含まれるように構成しても良い。
【００６１】
また、例えば、システム制御部４５は制御部１１に、システムメモリ部（ＤＤＲ等）４９はＲＡＭ１３に、パネル出力部５１は表示装置７に、ＧＵＩ処理部４８は映像処理部５に、４ｋ２ｋ差分情報制御部４６は制御部１１に含まれるように構成しても良い。
【００６２】
図５は、実施形態に係る電子機器のＧＵＩ表示に係る動作を説明するフローチャートである。
【００６３】
ステップＳ１００は、ここでの開始ステップである。続いて、ステップＳ１０１に進む。
【００６４】
ステップＳ１０１は、４ｋ２ｋ差分情報の取得処理を行うステップである。続いて、ステップＳ１０２に進む。
【００６５】
ステップＳ１０２は、ＧＵＩデータの要求処理を行うステップである。続いて、ステップＳ１０３に進む。
【００６６】
ステップＳ１０３は、４ｋ２ｋ差分情報の取得状況を要求するステップである。続いて、ステップＳ１０４に進む。
【００６７】
ステップＳ１０４は、「差分情報」の取得が完了したかを検出するステップである。「差分情報」の取得が完了したと検出される場合は、ステップＳ１０５に進む（Ｙｅｓ）。「差分情報」の取得が完了しないと検出される場合は、ステップＳ１０６に進む（Ｎｏ）。
【００６８】
ステップＳ１０５は、「４ｋ２ｋ差分情報を取得済」である旨の情報を、ＧＵＩデータに組み込むステップである。続いて、ステップＳ１０７に進む。
【００６９】
ステップＳ１０６は、「４ｋ２ｋ差分情報を未取得」である旨の情報を、ＧＵＩデータに組み込むステップである。続いて、ステップＳ１０７に進む。
【００７０】
ステップＳ１０７は、ＧＵＩデータを作成するステップである。続いて、ステップＳ１０８に進む。
【００７１】
ステップＳ１０８は、ＧＵＩ表示有効フレームであるかを検出するステップである。ＧＵＩ表示有効フレームであると検出される場合は、ステップＳ１０９に進む（Ｙｅｓ）。ＧＵＩ表示有効フレームではないと検出される場合は、ステップＳ１１０に進む（Ｎｏ）。
【００７２】
ステップＳ１０９は、映像とＧＵＩデータを合成するステップである。続いて、ステップＳ１１１に進む。
【００７３】
ステップＳ１１０は、映像データを出力するステップである。続いて、ステップＳ１１１に進む。
【００７４】
ステップＳ１１１は、出力された映像データをパネルへ出力するステップである。続いて、ステップＳ１１２に進む。
【００７５】
ステップＳ１１２は、終了ステップであり、ここでの処理は終了する。
【００７６】
すなわち、この実施形態においては、高画質映像（４ｋ２ｋ）生成のための「差分情報」は、例えば、ＢＳ放送の空き時間を用いて、予め、伝送されることが望ましい。
【００７７】
ここでは、この高画質映像（４ｋ２ｋ）生成のための「差分情報」は、ＢＳ伝送差分情報受信部４１で受信され、デジタル復調部４２で、４ｋ２ｋ差分情報の復調が行われる。
【００７８】
この時、例えば、この実施形態においては、４ｋ２ｋ差分情報制御部４６において、「差分情報」の取得状況の管理が行われる。
【００７９】
また、この４ｋ２ｋ「差分情報」は、大容量記憶装置４７に保存される。
【００８０】
そして、例えば、システム制御部４５から、ＧＵＩデータ処理要求が出されると、ＧＵＩ処理部４８は、どのＧＵＩを用意するかの判断を行う。
【００８１】
また、「差分情報」を用いた４ｋ２ｋ放送を、視聴可能、もしくは、視聴不可能等の表示を行う場合に、４ｋ２ｋ差分情報制御部４６に、４ｋ２ｋ差分情報の取得状況を知らせるよう要求を出す。
【００８２】
そして、ここでは、４ｋ２ｋ差分情報の取得が完了している場合は、取得が完了している旨の情報を、ＧＵＩ処理部４８に送信する。
【００８３】
そして、４ｋ２ｋ差分情報を取得済である、すなわち、「差分情報」を用いた４ｋ２ｋ放送を視聴可能である、という旨の情報を、ＧＵＩデータに組み込み、ＧＵＩデータの生成を行う。
【００８４】
また、４ｋ２ｋ差分情報の取得が完了していない場合は、差分情報の取得が完了していない旨の情報を、ＧＵＩ処理部４８に送信し、４ｋ２ｋ差分情報の取得が完了していない、すなわち、「差分情報」を用いた４ｋ２ｋ放送（高画質映像）の視聴は可能ではない、という情報を、ＧＵＩデータに組み込み、ＧＵＩデータの生成を行う。
【００８５】
また、４ｋ２ｋ差分情報を、全部ではなく、例えば、途中まで取得していた場合、すなわち、ＨＤ放送開始時に、高画質（４ｋ２ｋ）生成のための「差分情報」を取得しきれていない場合は、欠けている４ｋ２ｋ差分情報を取得しようとしても、リアルタイムの表示に追いつくことができないため、例えば、「差分情報」を用いた高画質（４ｋ２ｋ）放送の視聴は可能ではないとして扱い、その旨表示する。
【００８６】
また、パネル出力部５１は、例えば、システム制御部４５から、ＧＵＩ表示有効フレームではない旨の情報を受けた映像データを、パネル７へ出力表示する。
【００８７】
ＧＵＩ表示有効フレームである旨の情報を受けた場合は、パネル出力部５１において、映像データと、ＧＵＩデータを合成して、パネル７へ出力を行う。
【００８８】
図６は、実施形態に係る電子機器から出力される「高画質映像出力可否表示」を表示可能な番組表を示す図である。
【００８９】
この実施形態においては、電子機器１は、図６に示すように、「高画質映像出力可否表示」を表示可能な番組表を出力表示することが可能である。
【００９０】
ここでは、番組名「ＡＡＡ」６１と、番組名「ＢＢＢ」６２は、高画質映像（４ｋ２ｋ）の番組である。ここでは、番組表の例と、それぞれの番組の枠を拡大したものを表している。
【００９１】
例えば、ユーザが、操作部５２を操作し、この番組表の表示を指示した場合に、ここでは、番組名「ＡＡＡ」６１は、高画質映像（４ｋ２ｋ）の「差分情報」の取得が完了している。
【００９２】
このため、ここでは、この番組の枠内に、「４ｋ２ｋ差分情報取得済」６１ｂの表示（文字）が出力表示される。
【００９３】
また、番組名「ＢＢＢ」６２は、高画質映像（４ｋ２ｋ）の「差分情報」の取得が完了していない。
【００９４】
このため、この番組の枠内に、「４ｋ２ｋ差分情報がありません」６２ｂの表示（文字）が出力表示される。
【００９５】
なお、ここでの表示（文字）は一例であり、例えば、放送（ＢＳ、ＣＳ、地上波デジタル等）の空き時間を用いて、予め、伝送される、高画質映像（４ｋ２ｋ）の「差分情報」を用いた高画質映像（４ｋ２ｋ）放送を、視聴可能か、視聴不可能かを示すものであれば、異なる表示（例えば、別の文字）でも良い。
【００９６】
例えば、同様の意味を持つ図形（「ＯＫ」６１ｃ）、もしくは、色を用いても良い。また、番組表の枠内であれば、表示位置や方向は問わない。
【００９７】
また、ここでは特に示さないが、例えば、ユーザが番組を選択し、詳細を表示した枠内にも、文字や図形や色で同様の情報が表示されるように構成しても良い。
【００９８】
また、ここでは、番組名「ＣＣＣ」６３は、「高画質映像」よりは低画質の映像（ＨＤ映像）の番組である。ここでは、番組名「ＣＣＣ」６３は、番組の枠を拡大したものは表していない。
【００９９】
図７は、実施形態に係る電子機器から出力される「高画質映像出力可否表示」を表示可能な録画リストを示す図である。
【０１００】
ここでは、番組名「ＡＡＡ」７１と番組名「ＢＢＢ」７２は、高画質映像（４ｋ２ｋ）の番組（映像コンテンツ）であり、それぞれ、録画が行われた。
【０１０１】
しかし、ここでは、番組名「ＡＡＡ」７１の映像コンテンツは、高画質映像（４ｋ２ｋ）差分情報の取得が完了しているが、番組名「ＢＢＢ」７２の映像コンテンツは、高画質映像（４ｋ２ｋ）差分情報の取得が完了していないものとする。
【０１０２】
そして、例えば、ユーザが操作部５２を操作し、この録画リストの出力を指定した場合に、番組名「ＡＡＡ」７１の映像コンテンツは、高画質映像（４ｋ２ｋ）差分情報の取得が完了しているため、この番組の枠７１内に、この映像コンテンツを高画質映像（４ｋ２ｋ）で出力することが可能な旨を示す、「４ｋ２ｋ差分情報取得済」の文字７１ｂが表示される。
【０１０３】
また、図６と同様に、この番組の枠７１内に、この映像コンテンツを高画質映像（４ｋ２ｋ）で出力することが可能な旨を示す、「ＯＫ」７１ｃの表示が表示される。
【０１０４】
また、番組名「ＢＢＢ」７２の映像コンテンツは、高画質映像（４ｋ２ｋ）差分情報の取得が完了していないため、この番組の枠内に、この映像コンテンツを高画質映像（４ｋ２ｋ）で出力することが可能ではない旨を示す、「４ｋ２ｋ差分情報がありません」の表示（文字）７２ｂが表示される。
【０１０５】
また、ここでは、この番組の枠７２内に、この映像コンテンツを高画質映像（４ｋ２ｋ）で出力することは可能ではない旨を示す、「ＮＧ」７２ｃの表示が表示される。
【０１０６】
番組名「ＣＣＣ」７３の映像コンテンツは、ここでは、ＨＤの番組であり、上記のような表示は行われない。
【０１０７】
図８は、実施形態に係る電子機器から出力される「高画質映像出力可否表示」を表示可能な、視聴中の番組コンテンツ番組情報を示す図である。
【０１０８】
ここでは、例えば、ユーザは、高画質映像（４ｋ２ｋ）の番組である番組名「ＡＡＡ」８１を視聴している。
【０１０９】
そして、ユーザが、番組名「ＡＡＡ」８１を視聴している場合に、例えば、操作部５２を操作し、番組情報の表示を指示する。
【０１１０】
すると、ここでは、番組名「ＡＡＡ」８１は、高画質映像（４ｋ２ｋ）の「差分情報」の取得が完了している。
【０１１１】
このため、この番組情報８１の枠内に、この映像コンテンツを高画質映像（４ｋ２ｋ）で出力することが可能な旨を示す、「４ｋ２ｋ放送視聴中」の表示（文字）８１ｄが出力表示される。
【０１１２】
ここでは、高画質映像（４ｋ２ｋ）の「差分情報」を用いて、高画質映像（４ｋ２ｋ）の放送を、パネル７へ表示している。
【０１１３】
このため、図６や図７に示す表示（文字）とは、表示を変更している。
【０１１４】
また、ここでは、この番組情報８１の枠内に、この映像コンテンツを高画質映像（４ｋ２ｋ）で出力することが可能な旨を示す、「ＯＫ」８１ｃの表示が表示される。
【０１１５】
また、ここでも、この映像コンテンツを高画質映像（４ｋ２ｋ）で出力することが可能な旨を示す表示（８１ｄ、８１ｃ等）は一例であり、上記記載とは異なる文字や図形、色等を用いても良い。
【０１１６】
また、この映像コンテンツを高画質映像（４ｋ２ｋ）で出力することが可能な旨を示す表示（８１ｄ、８１ｃ等）は、例えば、この表示枠内であれば、表示位置や方向は問わない。
【０１１７】
また、特に図示しないが、例えば、ユーザが、ＨＤの番組である番組名「ＣＣＣ」を視聴している場合は、番組情報の枠内は、従来の番組情報を表示するように構成しても良い。
【０１１８】
図９は、実施形態に係る電子機器の動作を説明するフローチャートである。
【０１１９】
ステップＳ２００は、ここでの開始ステップである。続いて、ステップＳ２０１に進む。
【０１２０】
ステップＳ２０１は、高画質（４ｋ２ｋ）映像生成のための差分情報（差分データ）を含む放送を受信するステップである。ここでは、放送は、例えば、ＢＳ、ＣＳ、地上波デジタル等の放送を用いることが可能である。続いて、ステップＳ２０２に進む。
【０１２１】
ステップＳ２０２は、受信した放送から、差分情報（差分データ）を取得するステップである。続いて、ステップＳ２０３に進む。
【０１２２】
ステップＳ２０３は、取得した差分情報（差分データ）を、記憶部に記憶するステップである。続いて、ステップＳ２０４に進む。
【０１２３】
ステップＳ２０４は、所定の映像コンテンツ（番組表、録画リスト、番組の映像コンテンツ等）の高画質表示が可能である、または、高画質表示が可能ではない旨を表示する表示である、高画質可否表示の表示指示がされたかを検出するステップである。この高画質可否表示の表示指示がされたと検出される場合は、ステップＳ２０５に進む（Ｙｅｓ）。この高画質可否表示の表示指示がされないと検出される場合は、ステップＳ２０１に進み、上記処理を繰り返す（Ｎｏ）。
【０１２４】
ステップＳ２０５は、上記所定映像コンテンツの「差分情報」の取得が完了したかを検出するステップである。所定映像コンテンツの「差分情報」の取得が完了したと検出される場合は、ステップＳ２０６に進む（Ｙｅｓ）。所定映像コンテンツの「差分情報」の取得が完了しないと検出される場合は、ステップＳ２０７に進む（Ｎｏ）。
【０１２５】
ステップＳ２０６は、所定映像コンテンツの高画質出力が可能である旨を示す表示を出力するステップである。例えば、図６の番組表、図７の録画リスト、図８の番組コンテンツ等のように表示を出力する。続いて、ステップＳ２０１に進み、上記処理を繰り返す。
【０１２６】
ステップＳ２０７は、所定映像コンテンツの高画質出力が可能ではない旨を示す表示を出力するステップである。例えば、図６の番組表、図７の録画リスト、図８の番組コンテンツ等のように表示を出力する。続いて、ステップＳ２０１に進み、上記処理を繰り返す。
【０１２７】
また、上記に加え、他の実施形態として、例えば、ＧＵＩ処理部４８において、「差分情報」を用いた高画質（４ｋ２ｋ）映像の視聴が可能ではない場合に、この旨の情報を表示するだけではなく、映像データをどのようにパネル７へ出力させるかを指定可能なボタン等を、表示するようにしても良い。
【０１２８】
また、例えば、高画質（４ｋ２ｋ）映像の「差分情報」取得が完了していない場合に、ＨＤ映像データ用い、高画質（４ｋ２ｋ）映像にアップコンバートするようにしても良い。
【０１２９】
この場合は、放送の空き時間を用いて、予め、伝送される高画質（４ｋ２ｋ）映像の差分情報を用いた高画質（４ｋ２ｋ）映像を視聴可能であるか視聴が可能ではないかを示す上記情報に代え、高画質（４ｋ２ｋ）映像の「差分情報」を用いた高画質（４ｋ２ｋ）映像を視聴可能であるか、または、ＨＤ映像をアップコンバートすることで、高画質（４ｋ２ｋ）映像を視聴可能であるか等を表示するようにしても良い。
【０１３０】
すなわち、この実施形態において、電子機器１は、高画質映像を生成するための差分情報を含む放送信号を受信する放送信号受信部（チューナ３、信号処理部４等）を備えている。
【０１３１】
また、前記受信した放送信号から前記差分情報を取得し、一時的に記憶する記憶部（ＲＡＭ（ＤＤＲ）１３等）を備えている。
【０１３２】
また、所定映像コンテンツの差分情報取得が完了したかを検出する検出部（制御部１等）を備えている。
【０１３３】
また、前記所定映像コンテンツの高画質映像出力が可能である旨を示す表示を出力する出力部（表示装置７等）を備えている。
【０１３４】
また、この実施形態において、電子機器１は、「差分情報」取得が完了しない場合は、所定映像コンテンツの高画質映像出力が可能ではない旨を示す表示を出力する（図６、図７、図８）。
【０１３５】
また、この実施形態において、電子機器１は、前記所定映像コンテンツの高画質映像出力可否表示の指示があった場合に、前記高画質映像出力が可能であること、または、前記所定映像コンテンツの高画質映像出力が可能ではない旨を示す表示を出力する（図６、図７、図８）。
【０１３６】
また、この実施形態において、電子機器１は、前記高画質映像出力が可能であること、または、前記所定映像コンテンツの高画質映像出力が可能ではない旨を示す表示を番組表と関連付けて出力する（図６）。
【０１３７】
また、この実施形態において、電子機器１は、前記高画質映像出力が可能であること、または、前記所定映像コンテンツの高画質映像出力が可能ではない旨を示す表示を録画リストと関連付けて出力する（図７）。
【０１３８】
また、この実施形態において、電子機器１は、前記高画質映像出力が可能であること、または、前記所定映像コンテンツの高画質映像出力が可能ではない旨を示す表示を番組コンテンツと関連付けて出力する（図８）。
【０１３９】
上記のように構成することによって、この実施形態においては、「差分情報」を用いて「高画質映像」を生成する電子機器において、所定の映像コンテンツを「高画質映像」で視聴することができない場合は、ユーザに直感的に提示し、利便性を向上させることが可能になる。
【０１４０】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１４１】
なお、上記実施形態は、記述そのものに限定されるものではなく、実施段階では、その趣旨を逸脱しない範囲で、構成要素を種々変形して具体化することが可能である。
【０１４２】
また、上記実施形態に開示されている複数の構成要素の適宜な組み合せにより種々の発明を形成できる。
【０１４３】
例えば、実施形態に示される全構成要素から幾つかの構成要素を削除してもよい。更に、異なる実施形態に亘る構成要素を適宜組み合せてもよい。
【符号の説明】
【０１４４】
６１…番組名「ＡＡＡ」、６１ｂ…「４ｋ２ｋ差分情報取得済」の表示（文字）、６２…番組名「ＢＢＢ」、６２ｂ…「４ｋ２ｋ差分情報がありません」の表示（文字）。
【図１】
2014127979.tif 000003
【図２】
2014127979.tif 000004
【図３】
2014127979.tif 000005
【図４】
2014127979.tif 000006
【図５】
2014127979.tif 000007
【図６】
2014127979.tif 000008
【図７】
2014127979.tif 000009
【図８】
2014127979.tif 000010
【図９】
2014127979.tif 000011